(57)【要約】【課題】検出スイッチのチャタリングが増加した場合でも、表示回数の増加を抑制して電池寿命が短くなることを抑制すること。【解決手段】姿勢検出スイッチ１０５は電子時計本体が所定の姿勢になったことを検出して姿勢検出信号を出力する。制御部１０１は、ＲＯＭ１１１に予め記憶された前記姿勢検出信号を無視する時間であるチャタリング防止時間内では、前記姿勢検出信号に応答しては表示部１０９を照明する照明装置１０８を点灯しないように制御する。制御部１０１は、前記チャタリング防止時間経過後に前記姿勢検出信号を受信した場合には、照明装置１０８を点灯制御して、表示部１０９で表示された時刻を視認可能に表示する。【選択図】    図１
2004325259.tif 000002
【特許請求の範囲】
【請求項１】
表示手段と、電子機器本体が所定の姿勢になったことを検出して姿勢検出信号を出力する姿勢検出スイッチと、前記姿勢検出信号に応答して前記表示手段を表示制御する制御手段とをケースに一体的に設けて成る携帯型電子機器において、
前記姿勢検出信号を無視する時間であるチャタリング防止時間を記憶する記憶手段を有し、前記制御手段は、前記記憶手段に記憶したチャタリング防止時間に基づいて定まるチャタリング防止時間内では前記姿勢検出信号に応答しては前記表示手段を表示しないように制御することを特徴とする携帯型電子機器。
【請求項２】
前記記憶手段に記憶したチャタリング防止時間に基づいて新たなチャタリング防止時間を算出する時間変更手段を有し、前記制御手段は、前記時間変更手段で算出したチャタリング防止時間内では前記姿勢検出信号に応答しては前記表示手段を表示しないように制御することを特徴とする請求項１記載の携帯型電子機器。
【請求項３】
前記時間変更手段は、前記記憶手段に記憶したチャタリング防止時間に基づいて、前記姿勢検出スイッチがオンした回数に応じた新たなチャタリング防止時間を算出することを特徴とする請求項２記載の携帯型電子機器。
【請求項４】
前記時間変更手段は、前記姿勢検出スイッチの１日当たりのオン回数に応じた新たなチャタリング防止時間を算出することを特徴とする請求項３記載の携帯型電子機器。
【請求項５】
前記時間変更手段は、前記記憶手段に記憶したチャタリング防止時間に基づいて、前記制御手段がチャタリング防止動作を行った回数に応じた新たなチャタリング防止時間を算出することを特徴とする請求項２乃至４のいずれか一に記載の携帯型電子機器。
【請求項６】
前記姿勢検出信号が前記姿勢検出スイッチから前記制御手段に出力されることを所定時間阻止するチャタリング防止回路を備えて成ることを特徴とする請求項１乃至５のいずれか一に記載の携帯型電子機器。
【請求項７】
前記チャタリング防止時間は、前記所定時間が経過した直後に設けられて成ることを特徴とする請求項６記載の携帯型電子機器。
【請求項８】
前記制御手段は曜日識別機能を有すると共に、前記記憶手段には複数のチャタリング防止時間が記憶されて成り、
前記制御手段は、現在の曜日に応じた前記複数のチャタリング時間を選択し、該選択したチャタリング防止時間を使用して前記表示手段の制御を行うことを特徴とする請求項１乃至７のいずれか一に記載の携帯型電子機器。
【請求項９】
前記表示手段は時刻表示機能を有することを特徴とする請求項１記載の携帯型電子機器。
【発明の詳細な説明】
【０００１】
【発明の属する技術分野】
本発明は、デジタル式電子腕時計等の携帯型電子機器に関する。
【０００２】
【従来の技術】
従来から、電池駆動の携帯型電子機器である電子時計として、表示電力の大きな自発光型表示部を搭載したデジタル表示式電子腕時計、液晶表示部とともに大きな電力を消費するバックライト等を搭載するデジタル表示式電子腕時計、時刻針をモータによって回転駆動するアナログ表示式電子腕時計等、各種の電子時計が利用されている。
表示電力の大きな自発光型表示部を搭載した電子腕時計または液晶表示部とともに大きな電力を消費するバックライト等を搭載する電子腕時計において、常時、発光表示またはバックライトによる照明を行っていると電力の消耗が激しく、電池寿命が極端に短くなるという問題がある。
【０００３】
この問題を解決するために、使用者が必要な時に外部操作部材を手動操作して表示部による表示や、バックライト照明等を行わせるように構成した電子腕時計が開発されている。これにより、使用者が外部操作部材を手動操作したときにだけ表示やバックライト照明等が行われるため、消費電力を低減化でき、電池寿命を長くすることが可能になる。
しかしながら、前記電子時計では外部操作部材の手動操作が煩雑である。この問題を解決すべく、電子時計内に該電子時計の傾きを検出するための姿勢検出スイッチを設けておき、前記姿勢検出スイッチがオン状態になったことを検出することによって、使用者が時計を見たことを間接的に検出し、バックライト照明等を行うようにした電子時計が開発されている（例えば、特許文献１参照）。
【０００４】
【特許文献１】
特開平８−２２７５５号公報（第３頁〜５頁、図１）
【０００５】
【発明が解決しようとする課題】
しかしながら、前記従来の電子時計では、姿勢検出スイッチの劣化や製造上のバラツキによって前記姿勢検出スイッチのチャタリングが増加すると、照明が点灯しやすくなる等、時刻表示が頻繁に行われるようになるため、電池寿命が短くなるという問題がある。
また、使用者のライフスタイルによって前記姿勢検出スイッチがオン状態になる回数が異なるため、前記姿勢検出スイッチが頻繁にオン状態になるような使用方法の場合、電池寿命が極めて短くなるという問題がある。
また、携帯電話やＰＨＳ等、他の携帯型電子機器ついても、同様の問題が生じる。
【０００６】
本発明は、姿勢検出スイッチのチャタリングが増加した場合でも、表示回数の増加を抑制して電池寿命が短くなることを抑制することを課題としている。
また、本発明は、姿勢検出スイッチが頻繁にオン状態になるような使用方法の場合でも、表示回数の増加を抑制して電池寿命が短くなることを抑制することを課題としている。
【０００７】
【課題を解決するための手段】
本発明によれば、表示手段と、電子機器本体が所定の姿勢になったことを検出して姿勢検出信号を出力する姿勢検出スイッチと、前記姿勢検出信号に応答して前記表示手段を表示制御する制御手段とをケースに一体的に設けて成る携帯型電子機器において、前記姿勢検出信号を無視する時間であるチャタリング防止時間を記憶する記憶手段を有し、前記制御手段は、前記記憶手段に記憶したチャタリング防止時間に基づいて定まるチャタリング防止時間内では前記姿勢検出信号に応答しては前記表示手段を表示しないように制御することを特徴とする携帯型電子機器が提供される。
【０００８】
ここで、前記記憶手段に記憶したチャタリング防止時間に基づいて新たなチャタリング防止時間を算出する時間変更手段を有し、前記制御手段は、前記時間変更手段で算出したチャタリング防止時間内では前記姿勢検出信号に応答しては前記表示手段を表示しないように制御するように構成してもよい。
また、前記時間変更手段は、前記記憶手段に記憶したチャタリング防止時間に基づいて、前記姿勢検出スイッチがオンした回数に応じた新たなチャタリング防止時間を算出するように構成してもよい。
また、前記時間変更手段は、前記姿勢検出スイッチの１日当たりのオン回数に応じた新たなチャタリング防止時間を算出するように構成してもよい。
また、前記時間変更手段は、前記記憶手段に記憶したチャタリング防止時間に基づいて、前記制御手段がチャタリング防止動作を行った回数に応じた新たなチャタリング防止時間を算出するように構成してもよい。
【０００９】
また、前記姿勢検出信号が前記姿勢検出スイッチから前記制御手段に出力されることを所定時間阻止するチャタリング防止回路を備えて成るように構成してもよい。
また、前記チャタリング防止時間は、前記所定時間が経過した直後に設けられて成るように構成してもよい。
また、前記制御手段は曜日識別機能を有すると共に、前記記憶手段には複数のチャタリング防止時間が記憶されて成り、前記制御手段は、現在の曜日に応じた前記複数のチャタリング時間を選択し、該選択したチャタリング防止時間を使用して前記表示手段の制御を行うように構成してもよい。
また、前記姿勢検出スイッチは前記ケース内に収容されて成るように構成してもよい。
また、前記表示手段は時刻表示機能を有するように構成してもよい。
【００１０】
【発明の実施の形態】
図１は、本発明の実施の形態に係る携帯型電子器のブロック図で、電池を電源として動作するデジタル式電子腕時計の例を示している。
図１において、電子腕時計は、基準クロック信号を発生する発振回路１０２、前記基準クロック信号を分周して計時用の計時基準信号を発生する分周回路１０３、計時基準信号の計時動作や電子腕時計全体の制御を行う制御手段としての中央処理装置（ＣＰＵ）１０１、表示切換等を行うために使用者が外部から手動操作するキー入力手段１０４、電子腕時計の姿勢を検出する姿勢検出スイッチ１０５、ハードウェア構成されたチャタリング防止回路１０６、照明装置１０８を駆動するドライバ回路１０７、表示部１０９のバックライトである、ＥＬ、ランプ及びＬＥＤ等を含む照明装置１０８、液晶表示部等の非発光表示部によって構成され時刻等を表示する表示部１０９、表示データ等を記憶するランダムアクセスメモリ（ＲＡＭ）１１０、ＣＰＵ１０１が実行するプログラムやチャタリング防止時間などを予め記憶する読み出し専用メモリ（ＲＯＭ）１１１を備えている。
【００１１】
ＣＰＵ１０１、発振回路１０２、分周回路１０３、キー入力手段１０４、姿勢検出スイッチ１０５、チャタリング防止回路１０６、ドライバ回路１０７、照明装置１０８、表示部１０９、ＲＡＭ１１０、ＲＯＭ１１１は電子機器本体を構成しており、図示しないケースに一体的に設けられている。
ＣＰＵ１０１は、計時基準信号の計時機能、日付や曜日の認識や表示を行うカレンダー機能、ソフトウェア処理によるチャタリング（ソフトチャタリング）防止機能、電子腕時計全体の制御機能等を有するのみならず、３種類のカウンタＡ、Ｂ、Ｃとしての機能を有している。カウンタＡは非常に多い回数を計数可能なカウンタ、カウンタＢは一日分の計数値を十分に計数可能なカウンタ、カウンタＣは数十までの計数値を計数可能なカウンタである。
カウンタＡ、Ｂ、Ｃの詳細な動作は後述するが、概略説明すると、カウンタＡは、姿勢検出スイッチ１０５がオンした回数を計数値が所定値になるまで計数し、計数値が前記所定値に達すると、姿勢検出スイッチ１０５の劣化を考慮して、ＣＰＵ１０１の処理によるソフトウェア的なチャタリング防止時間（ソフトチャタリング防止時間）に所定の設定値Ｃを加算するように機能する。
【００１２】
カウンタＢの計数値を一日一回例えば午前０時に確認し、カウンタＢの計数値が所定値Ｂ１を超える場合にはソフトチャタリング防止時間を増減するためのカウンタＣの計数値に１加算し、カウンタＢの計数値が所定値Ｂ２未満であればカウンタＣの計数値を１減算する。カウンタＢの計数値が所定値Ｂ１、Ｂ２間の範囲内に入っている場合には、カウンタＣの計数値は変化させない。カウンタＣの内容により、ソフトチャタリング防止時間を増減する。
カウンタＣの計数値を１加算したときは、姿勢検出スイッチ１０５が入りやすいライフスタイルと判断し、１減算したときには、姿勢検出スイッチが入りにくい生活をしていると判断し、その結果を翌日のソフトチャタリング防止時間に反映させる。
ここで、メモリ１１０、１１１は記憶手段を構成し、ＣＰＵ１０１は制御手段や時間変更手段を構成している。また、照明装置１０８及び表示部１０９は表示手段を構成している。
【００１３】
図６、図７は、姿勢検出スイッチ１０５の実際の入力状態、ハードチャタリング防止時間、ソフトチャタリング防止時間、割り込み信号、照明装置１０８の点灯状態を示したタイミング図で、図６は照明装置１０８が点灯する場合のタイミング図、図７は照明装置１０８が点灯しない場合のタイミング図である。
尚、ハードチャタリング防止時間とはハードウェア構成されたチャタリング防止回路１０６によって実現されるチャタリング防止時間を意味している。ソフトチャタリング防止時間とは、ＲＯＭ１１１に予め設定されたチャタリング防止時間や、ＲＯＭ１１１に予め設定されたチャタリング防止時間に基づいてＣＰＵ１０１（時間変更手段）によって新たに算出されたチャタリング防止時間を意味している。また、割り込み信号は、ハードチャタリング防止時間後に、姿勢検出スイッチ１０５がオン状態になった瞬間にのみ生じる信号である。
【００１４】
図６、図７において、姿勢検出スイッチ１０５がオンすると同時に、ハードウェア的にチャタリング防止を行うチャタリング防止回路１０６によって予め定められた所定時間（ハードチャタリング防止時間）内では、姿勢検出スイッチ１０５からの姿勢検出信号はチャタリング防止回路１０６によって阻止され、ＣＰＵ１０１に出力されない。
ハードチャタリング防止時間が終了すると同時に、予めＲＯＭ１１１に設定したチャタリング防止時間（ソフトチャタリング防止時間）の間、ＣＰＵ１０１によるチャタリング防止動作が開始する。このソフトチャタリング防止時間において、姿勢検出スイッチ１０５がオン状態になる毎に、割り込み信号が発生する。ソフトチャタリング防止時間が終了後にも、姿勢検出スイッチ１０５がオン状態の場合には、ＣＰＵ１０１はドライバ１０７を介して照明装置１０８を点灯制御して点灯させる（図６参照）。これにより、表示部１０９に表示された時刻等の表示が視認可能に表示される。即ち、表示手段による表示が行われる。ソフトチャタリング防止時間終了後に、姿勢検出スイッチ１０５がオン状態にならない場合には、ＣＰＵ１０１は照明装置１０８を点灯させない（図７参照）。
【００１５】
図８は、図６におけるソフトチャタリング防止時間が延びたときの照明装置１０８の点灯状態が変化することを示したタイミング図であり、ソフトチャタリング防止時間が長くなったため、ソフトチャタリング防止時間終了後には、姿勢検出スイッチ１０５がオン状態とならず、ＣＰＵ１０１は照明装置１０８を点灯させない。図８のようにソフトチャタリング時間を長く変更する処理の説明は後述するが、このような使用例としては、肉体労働者などのように、体を頻繁に動かすような使用者の場合があげられる。
【００１６】
図９は、図７におけるソフトチャタリング防止時間が短くなったときの照明装置１０８の点灯状態が変化することを示したタイミング図であり、ソフトチャタリング防止時間が短くなったため、ソフトチャタリング防止時間終了後に姿勢検出スイッチ１０５がオン状態となり、ＣＰＵ１０１はドライバ１０７を介して照明装置１０８を制御し点灯する。これにより、表示部１０９に表示された時刻等の表示が視認可能に表示される。即ち、表示手段による表示が行われる。図９のようにソフトチャタリング時間を短く変更する処理の説明は後述するが、このような使用例としては、事務関係労働者などのように、体をあまり動かさないような使用者の場合があげられる。
【００１７】
図２は、図６〜図９に示した割り込み信号（ハードチャタリング防止時間後に、姿勢検出スイッチ１０５がオン状態になった瞬間に発生する信号）によって動作するＣＰＵ１０１の処理を示すフローチャートである。
図２において、姿勢検出スイッチ１０５がオン状態になると、カウンタＡは割り込みを計数して、その計数値に１を加算する（ステップ２１）。カウンタＡは、姿勢検出スイッチ１０５の劣化を考慮して、チャタリング防止時間を延ばすためのカウンタである。
【００１８】
カウンタＡの計数値が、ＲＯＭ１１１に予め記憶した設定値Ａ以上か否かを判断し（ステップ２２）、カウンタＡの計数値が設定値Ａ以上と判断すると、現在のソフトチャタリング防止時間に、ソフトチャタリング防止時間を変化させる単位時間である設定値Ｃを加え、加えた時間が最大値（ＭＡＸ）を越えたか否かを判断する（ステップ２２）。ステップ２２において、最大値を超えたと判断した場合にはチャタリング防止時間を最大値（ＭＡＸ値）に設定し（ステップ２４）、カウンタＡをクリアする（ステップ２５）。ステップ２３において、チャタリング防止時間に、ソフトチャタリング防止時間の変化量である設定値Ｃを加えた時間が最大値以下の場合にはステップ２５に移行する。また、ステップ２２において、カウンタＡの計数値が前記設定値Ａ以上ではないと判断した場合にはステップ２６に移行する。
【００１９】
このようにして、ステップ２３〜ステップ２５により、カウンタＡが姿勢検出スイッチ１０５がオンしたことを所定回数検出した場合には姿勢検出スイッチ１０５が劣化してきたと判断して、ソフトチャタリング防止時間にソフトチャタリング防止時間の変化量である設定値Ｃを加算して、ソフトチャタリング防止時間を変更する（図６、図８参照）。ここで、ステップ２３〜２５は時間変更手段を構成している。このときチャタリング防止時間には最大値が予め決められているため、前記最大値を超えないようにする。カウンタＡはリセットして計数値を０に戻す。
次に、その日ごとのソフトチャタリング防止時間が最適か否かを判断するために、割り込み信号を検出すると、カウンタＢはその計数値に１を加算して、割り込み回数を計数する（ステップ２６）、
次に、割り込みがあった時に、以前の割り込みでソフトチャタリング防止中か否かを判断する（ステップ２７）。チャタリング防止中と判断した場合には、照明装置１０８が点灯状態かを判断する（ステップ２８）。ステップ２７、２８のどちらも否定された場合は、ソフトチャタリング防止中を示すフラグを立て（ステップ２９）、チャタリング防止時間分のチャタリング防止時間タイマを起動させる（ステップ２１０）。以後、前記処理を繰り返す。
【００２０】
図３は、前記チャタリング防止時間タイマがタイムアップしたときのＣＰＵ１０１の処理を示すフローチャートである。
図３において、前記チャタリング防止時間タイマがタイムアップすると前記チャタリング防止中フラグを倒す（ステップ３１）。次に、姿勢検出スイッチ１０５がオン状態のままか否かを判断し（ステップ３２）、オン状態のままであれば、照明装置１０８点灯中を示すフラグを立て（ステップ３３）、照明装置１０８を点灯させる（ステップ３４）（図６、９参照）。このとき照明装置１０８を消灯させるための照明点灯タイマをスタートさせる（ステップ３５）。尚、照明装置１０８の点灯時間は予めＲＯＭ１１１に設定されている。
【００２１】
図４は、照明点灯タイマがタイムアップしたときのＣＰＵ１０１の処理を示すフローチャートである。
図４において、照明点灯タイマがタイムアップすると、即ち、照明点灯タイマが、予めＲＯＭ１１１に記憶された照明点灯時間に相当する時間を計時完了すると、照明点灯中フラグを倒し（ステップ４１）、照明装置１０８を消灯させる（ステップ４２）。
【００２２】
図５は、日にち変更時のＣＰＵ１０１の処理を示すフローチャートである。
図５において、前記カウンタＢの計数値がソフトチャタリング防止時間が最適かを判断するための第１の設定値Ｂ１を超えているか比較し（ステップ５１）、超えていなければソフトチャタリング防止時間を決定するためのカウンタＣに１を加算する（ステップ５２）。この場合、姿勢検出スイッチ１０５が入り難いライフスタイルと判断できる。尚、設定値Ｂ１は、予めＲＯＭ１１１に記憶されている。
一方、前記カウンタＢの計数値が設定値Ｂ１を超えていると判断した場合には、カウンタＢの値が第２の設定値Ｂ２を超えているか比較する（ステップ５３）。尚、設定値Ｂ２は、予めＲＯＭ１１１に記憶されている。
【００２３】
超えていなければ、前記カウンタＣが最小値の０ではないことを確認し（ステップ５４）、カウンタＣの計数値から１を減算する（ステップ５５）。この場合には、姿勢検出スイッチ１０５が入り易いライフスタイルと判断できる。
ステップ５３において、カウンタＢの値が設定値Ｂ２を超えていると判断した場合は、即ち、カウンタＢの設定値Ｂ１とＢ２の間にある場合は、値が現在設定されているソフトチャタリング防止時間が最適と判断し、カウンタＣに変化を与えない。
次に、前記カウンタＢをクリアし（ステップ５６）、現在のソフトチャタリング防止時間に、カウンタＣの内容にソフトチャタリング防止時間の変化量である設定値Ｃをかけた値を加算し、ソフトチャタリング防止時間を新たに設定する（ステップ５７）。
このとき、ソフトチャタリング防止時間の最大値（ＭＡＸ）を超えていないかを判断し（ステップ５８）、超えてしまった場合には、前記最大値に設定し直す（ステップ５９）。尚、ステップ５１〜５９は時間変更手段を構成している。
【００２４】
図１０は、前記実施の形態に係る電子腕時計を用いて、ソフトチャタリング防止時間を３０ｍｓに設定した場合と３００ｍｓに設定した場合の比較データである。使用者が本当に電子腕時計の時刻を見ようとした回数は、ソフトチャタリング防止時間を３０ｍｓに設定した場合には２２．２８回に１回の割合、ソフトチャタリング防止時間を３００ｍｓに設定した場合には６．３８回に１回の割合であった。
ソフトチャタリング防止時間を３００ｍｓに設定した場合の方が、使用者が本当に時刻を見ようとした回数に近く、したがって、姿勢検出スイッチ１０５のチャタリングが増加した場合でも、照明装置１０８の駆動による表示回数の増加を抑制して、電池寿命が短くなることを抑制することが可能になる。
また、姿勢検出スイッチ１０５が頻繁にオン状態になるような使用方法の場合でも、照明装置１０８の駆動による表示回数の増加を抑制して、電池寿命が短くなることを抑制することが可能になる。
【００２５】
図１１は、本発明の他の実施の形態に係る電子腕時計の動作を示すフローチャートで、割り込み信号によって動作するＣＰＵ１０１の処理を示すフローチャートであり、図２と同一処理を行う部分には同一符号を付している。
図１１の処理が図２の処理と相違する部分は、図２においては、割り込み信号を検出するとカウンタＢはその計数値に１を加算して割り込み回数を計数し（ステップ２６）、次に、割り込みがあった時に、以前の割り込みでソフトチャタリング防止中か否かを判断する（ステップ２７）ように構成したが、図１１においては、ステップ２６とステップ２７の位置が変更されており、これにより、姿勢検出スイッチ１０５のオン回数を数えるだけではなく、チャタリングと判断した回数をカウントし、その回数に応じてソフトチャタリング防止時間を変更するように構成している。尚、この場合、図５や後述する図１１における設定値Ｂ１、Ｂ２の値は、前述した値とは異なる値に設定される。
【００２６】
図１２は、他の実施の形態に係る電子時計の動作を示すフローチャートで、日にち変更時のＣＰＵ１０１の他の処理を示すフローチャートであり、図５と同一処理を行う部分には同一符号を付している。
図１２においては、ステップ５９の後に、ウイークディか否かを判断し（ステップ１１８）、ウイークディか否かに応じて、各々、休日用のチャタリング防止時間、平日用のチャタリング防止時間に設定する（ステップ１１９、１１１０）。このように、チャタリング防止時間を２種類持つことにより、例えば平日と休日とで、ライフスタイルが変化することを考慮しソフトチャタリング防止時間を使い分けることができる。但し、この場合、電子時計内に、曜日が判るカレンダーが内蔵されているものとする。これにより、適切なチャタリング防止時間に設定することができ、時刻表示回数の増加を抑制して電池寿命が短くなることを抑制することが可能になる。
【００２７】
尚、前記実施の形態では、照明装置１０８をバックライトとして点灯制御するように構成したが、表示部１０９を点灯制御することで照明装置１０８を省略してもよい。
また、照明装置１０８を省略し、表示部１０９を自発光型の表示手段によって構成し、該表示手段を点灯制御するように構成してもよい。
また、携帯型電子機器の例としてデジタル式電子腕時計の例で説明したが、発光表示部や表示部のバックライト照明を有する各種の携帯型電子機器、例えば、携帯電話機やＰＨＳ等にも適用可能である。
【００２８】
【発明の効果】
また、本発明に係る携帯型電子機器によれば、姿勢検出スイッチのチャタリングが増加した場合でも、表示回数の増加を抑制して電池寿命が短くなることを抑制することが可能になる。
また、本発明は、姿勢検出スイッチが頻繁にオン状態になるような使用方法の場合でも、表示回数の増加を抑制して電池寿命が短くなることを抑制することが可能になる。
【図面の簡単な説明】
【図１】本発明の実施の形態に係る電子時計のブロック図である。
【図２】本発明の実施の形態に係る電子時計の処理を示すフローチャートである。
【図３】本発明の実施の形態に係る電子時計の処理を示すフローチャートである。
【図４】本発明の実施の形態に係る電子時計の処理を示すフローチャートである。
【図５】本発明の実施の形態に係る電子時計の処理を示すフローチャートである。
【図６】本発明の実施の形態に係る電子時計の動作を示すタイミング図である。
【図７】本発明の実施の形態に係る電子時計の動作を示すタイミング図である。
【図８】本発明の実施の形態に係る電子時計の動作を示すタイミング図である。
【図９】本発明の実施の形態に係る電子時計の動作を示すタイミング図である。
【図１０】本発明の実施の形態に係る電子時計においてチャタリング防止特性を示す表である。
【図１１】本発明の他の実施の形態に係る電子時計の処理を示すフローチャートである。
【図１２】本発明の他の実施の形態に係る電子時計の処理を示すフローチャートである。
【符号の説明】
１０１・・・制御手段、時間変更手段を構成するＣＰＵ
１０２・・・発振回路
１０３・・・分周回路
１０４・・・キー入力手段
１０５・・・姿勢検出スイッチ
１０６・・・チャタリング防止回路
１０７・・・ドライバ回路
１０８・・・表示手段を構成する照明装置
１０９・・・表示手段を構成する表示部
１１０・・・記憶手段を構成するＲＡＭ
１１１・・・記憶手段を構成するＲＯＭ
【図１】
2004325259.tif 000003
【図２】
2004325259.tif 000004
【図３】
2004325259.tif 000005
【図４】
2004325259.tif 000006
【図５】
2004325259.tif 000007
【図６】
2004325259.tif 000008
【図７】
2004325259.tif 000009
【図８】
2004325259.tif 000010
【図９】
2004325259.tif 000011
【図１０】
2004325259.tif 000012
【図１１】
2004325259.tif 000013
【図１２】
2004325259.tif 000014